(57)【要約】  【課題】ツボへの刺激を体感できるメガネを提供する。  【解決手段】  メガネ３０のつる４１，４２を、アダプタ１０の貫通穴２１，２２に挿入し、メガネ３０のブリッジ３８を係止部１８で挟み込む。これにより、メガネ３０にアダプタ１０を確実に取り付けることができる。ツボ押し凸部２４は、その一部がメガネ３０のリムに隠され、一部がリムに隠されないように、配置されている。ツボ押し凸部２４が透明でかつ円柱形状であるので、見え方もメガネ３０のリム５１，５３の周辺に装飾が施されているように見える。これより、通常のメガネをしている場合と比べても見た目に違和感がない。メガネのリムやつるなどから矢印Ｅ方向に押圧力を加えることにより、ツボ押し凸部２４によって目の周辺のツボを押圧することができる。  【選択図】  図６
2005227466.tif 000002
【特許請求の範囲】
【請求項１】
レンズを保持するリム部を備えたメガネであって、
前記リム部の目側面に、メガネ装着者における目の周辺に配置されたツボを押圧するためのツボ押圧部を設けたこと、
を特徴とするメガネ。  
【請求項２】
請求項１のメガネにおいて、
前記リム部には、折り曲げ可能なつる部が取り付けられており、
前記つる部を折り曲げた場合に、前記つる部が位置する位置以外のリム部に、前記ツボ押圧部を設けたこと、
を特徴とするメガネ。
【請求項３】
請求項１のメガネにおいて、
前記ツボ押圧部は透明部材で構成されていること、
を特徴とするメガネ。
【請求項４】
請求項３のメガネにおいて、
前記ツボ押圧部形状は連続した複数の円柱形状で構成されており、
前記リム部の目側面とは逆方向から見たときに、前記各円柱形状は前記リム部と一部重複する位置に配置されていること、
を特徴とするメガネ。
【請求項５】
請求項１のメガネにおいて、
前記ツボ押圧部が、前記リム部から取り外し可能であること、
を特徴とするメガネ。
【請求項６】
レンズを保持するリム部とつる部とを有するメガネに装着する、メガネ取付ツボ押し具であって、
前記メガネのレンズとほぼ同一形状の穴が形成された枠部、
前記枠部に形成され、前記メガネの装着者における目の周辺に配置されたツボを押圧するツボ押圧部、
前記枠部を、前記リム部の目側面に取り付けるためのリム取付部、
を備えたことを特徴とするメガネ取付ツボ押し具。  
【請求項７】
請求項６のメガネ取付ツボ押し具において、
前記リム取付部は、前記メガネのつるを挿入するつる挿入穴を有すること、
を特徴とするメガネ。
【請求項８】
請求項６または請求項７のメガネ取付ツボ押し具において、
前記リム取付部は、前記メガネのリム部に設けられたブリッジに係止する係止部を有すること、
を特徴とするメガネ。
【請求項９】
レンズを保持するリム部を備えたメガネを用いて目の周辺に配置されたツボを押圧する方法であって、
前記リム部の目側面に、メガネ装着者における目の周辺に配置されたツボを押圧するためのツボ押圧部を設けたメガネを装着し、
前記メガネを前記目側面とは逆側から前記目側面側に押圧することにより、前記目の周辺に配置されたツボを押圧すること、
を特徴とするツボ押圧方法。  
【発明の詳細な説明】
【技術分野】
【０００１】
この発明は、メガネを用いた目の周辺のツボ刺激に関する。
【背景技術】
【０００２】
発明者は、目の疲労回復のために、気軽に目の周辺のツボをマッサージすることに着目した。
【０００３】
特許文献１には、かかる目的のために、メガネに永久磁石を埋め込むことが開示されている。
【０００４】
【特許文献１】特開平０７−２８１１３４号
【発明の開示】
【発明が解決しようとする課題】
【０００５】
しかし、磁石によるツボの刺激は、磁力を用いるために効果を体感しにくいという問題があった。
【０００６】
この発明は、ツボへの刺激を体感できるメガネを提供することを目的とする。
【課題を解決するための手段】
【０００７】
１）本発明にかかるメガネは、レンズを保持するリム部を備えたメガネであって、前記リム部の目側面に、メガネ装着者における目の周辺に配置されたツボを押圧するためのツボ押圧部が設けられている。したがって、前記メガネを前記目側面とは逆側から前記目側面側に押圧することにより、前記ツボ押圧部によって前記目の周辺に配置されたツボを押圧することができる。
【０００８】
２）本発明にかかるメガネにおいては、前記リム部には、折り曲げ可能なつる部が取り付けられており、前記つる部を折り曲げた場合に、前記つる部が位置する位置以外のリム部に、前記ツボ押圧部を設けている。したがって、前記つる部を折り曲げる際に、前記ツボ押圧部が邪魔にならない。
【０００９】
３）本発明にかかるメガネにおいては、前記ツボ押圧部は透明部材で構成されている。したがって、ツボ押圧部が前記目側面の方に突出していても、外観上違和感のないメガネを提供することができる。
【００１０】
４）本発明にかかるメガネにおいては、前記ツボ押圧部形状は連続した複数の円柱形状で構成されており、前記リム部の目側面とは逆方向から見たときに、前記各円柱形状は前記リム部と一部重複する位置に配置されている。したがって、前記リム部の目側面とは逆方向から見たときには、前記各円柱形状がメガネの飾りのようにみえ、見た目に、より違和感のないメガネを提供することができる。
【００１１】
５）本発明にかかるメガネにおいては、前記ツボ押圧部が、前記リム部から取り外し可能である。したがって、ツボをマッサージしたくない場合にだけ、前記ツボ押圧部を取り外して、通常のメガネとして利用することができる。
【００１２】
６）本発明にかかるメガネ取付ツボ押し具は、レンズを保持するリム部とつる部とを有するメガネに装着する、メガネ取付ツボ押し具であって、1)前記メガネのレンズとほぼ同一形状の穴が形成された枠部、2)前記枠部に形成され、前記メガネの装着者における目の周辺に配置されたツボを押圧するツボ押圧部、3)前記枠部を、前記リム部の目側面に取り付けるためのリム取付部を備えている。したがって、このメガネ取付ツボ押し具をメガネに装着して、前記目側面とは逆側から前記目側面側に押圧することにより、前記ツボ押圧部によって前記目の周辺に配置されたツボを押圧することができる。
【００１３】
７）本発明にかかるメガネ取付ツボ押し具においては、前記リム取付部は、前記メガネのつるを挿入するつる挿入穴を有する。したがって、メガネのつるを用いてメガネに装着することができる。
【００１４】
８）本発明にかかるメガネ取付ツボ押し具においては、前記リム取付部は、前記メガネのリム部に設けられたブリッジに係止する係止部を有する。したがって、メガネに確実に装着することができる。
【００１５】
９）本発明にかかるツボを押圧する方法は、レンズを保持するリム部を備えたメガネを用いて目の周辺に配置されたツボを押圧する方法であって、1)前記リム部の目側面に、メガネ装着者における目の周辺に配置されたツボを押圧するためのツボ押圧部を設けたメガネを装着し、2)前記メガネを前記目側面とは逆側から前記目側面側に押圧することにより、前記目の周辺に配置されたツボを押圧する。したがって、目の周辺のツボを直接マッサージすることができる。
【００１６】
なお、本明細書において、「目側面」とは、リム部の面のうち、装着者の顔面に対向する面をいい、実施形態では、面３１が該当する。
【発明を実施するための最良の形態】
【００１７】
本発明の一実施形態を図面に基づいて説明する。図１に本発明にかかるメガネ取付ツボ押し具であるアダプタ１０を示す。アダプタ１０は透明なシリコン樹脂で形成されており、図１に示すように、メガネのリムとほぼ同じような形状をしている。すなわち、貫通穴１２，１４を形成する枠１１，１３間を接続部１７で連結している。接続部１７には、挟止部１８が形成されている。挟止部１８の形状について、図２を用いて説明する。図２は図１におけるＡ−Ａ断面である。図２に示すように、挟止部１８は、２つの凸部１８ａ，１８ｂが所定の間隔Ｌだけ離れて配置されたコの字状の凸部である。後述するように、この２つの凸部１８ａ，１８ｂでメガネのブリッジを挟み込むことによって、アダプタ１０をメガネに動かないように装着することができる。
【００１８】
図３に示すように、枠１１，１３の面３１には、複数のツボ押し凸部２４が形成されている。なお、図３は、図１における矢印Ｄからの矢視図である。ツボ押し凸部２４は、枠１１，１３の面３１における上部枠１１ａ，１３ａ、下部枠１１ｂ，１３ｂに形成されている（図１参照）。なお、図１は、面３１とは逆側の面からの矢視図であるが、ツボ押し凸部２４が見えているのは、アダプタ１０が透明のシリコン樹脂で形成されているからである。各ツボ押し凸部２４は、図４に示すように、円柱状で中空ではない。
【００１９】
枠１１，１３の端部にはメガネのつるを挿入する貫通穴２１，２２が形成されている。図５に図１のＣ−Ｃ断面を示す。貫通穴２１，２２は、メガネ３０のつるだけでなく、つるとリムを接続してつるを折り畳み可能とするヒンジ部４１ａ，４２ａをも挿入できる大きさで構成されている（図６参照）。
【００２０】
また、メガネのリムは、一般に、図６に示すように、湾曲しているので、アダプタ１０の枠もそれに沿うような湾曲形状となっている。
【００２１】
アダプタ１０の使用方法について、図６を用いて説明する。メガネ３０のつる４１，４２を、図６に示すように、それぞれ、アダプタ１０の貫通穴２１，２２に挿入する。この状態からさらにアダプタ１０を矢印６１方向に挿入して、メガネ３０のブリッジ３８を係止部１８で挟み込む。これにより、メガネ３０にアダプタ１０を確実に取り付けることができる。
【００２２】
装着状態における図６矢印Ｅ方向からの矢視図を図７に示す。このように、各ツボ押し凸部２４は、その一部がメガネ３０のリムに隠され、一部がリムに隠されないように、配置されている。したがって、正面（図６矢印Ｅ方向）から見ると、図７に示すように、一部が見える。また、ツボ押し凸部２４が透明でかつ円柱形状であるので、見え方もメガネ３０のリム５１，５３の周辺に装飾が施されているように見える。これより、通常のメガネをしている場合と比べても見た目に違和感がない。また、アダプタ１０にはメガネ３０のレンズ部と対向する部分に貫通穴１２，１４が設けられているので、装着時にレンズを通過する光が遮られることがなく、ほぼ通過する。
【００２３】
アダプタ１０を取り付けたメガネ３０を、装着者に装着し、メガネのリムや、つるなどから矢印Ｅ方向（図６参照）に押圧力を加えることにより、ツボ押し凸部２４によって目の周辺のツボを押圧することができる。
【００２４】
上記実施形態においては、メガネ３０のレンズを度無しとしたが、度付きのレンズとすることもできる。
【００２５】
また、アダプタ１０をメガネ３０に取り付けるのに、貫通穴２１，２２および挟止部１８を用いたが、いずれか一方でもよく、また、他の手法を用いてもよい。
【００２６】
また、本実施形態においては、アダプタ１０にメガネ３０のつるを挿入する貫通穴２１，２２としたが、貫通穴の一部が切りかけられていてもよい。
【００２７】
本実施形態においては、直接目の周辺のツボを押圧するツボ押し凸部２４を設けている。したがって、磁石を用いた場合のように、磁石の埋め込み処理が不要となったり、磁石が、また、外部から見えることにより、違和感が発生するという問題がない。
【図面の簡単な説明】
【００２８】
【図１】本発明にかかるアダプタ１０を示す図である。
【図２】図１におけるＡ−Ａ断面図である。
【図３】図１におけるＤ矢視図である。
【図４】図１におけるＢ−Ｂ断面図である。
【図５】図１におけるＣ−Ｃ断面図である。
【図６】メガネへの取り付け方法を説明するための図である。
【図７】アダプタ装着後の正面図である。
【符号の説明】
【００２９】
１０・・・・・・アダプタ
１１・・・・・・枠
１１ａ・・・・・上部枠
１１ｂ・・・・・下部枠
１２・・・・・・貫通穴
１３・・・・・・枠
１３ａ・・・・・上部枠
１３ｂ・・・・・下部枠
１４・・・・・・貫通穴
１７・・・・・・接続部
１８・・・・・・挟止部
１８ａ・・・・・凸部
１８ｂ・・・・・凸部
２１・・・・・・貫通穴
２２・・・・・・貫通穴
２４・・・・・・ツボ押し部
【図１】
2005227466.tif 000003
【図２】
2005227466.tif 000004
【図３】
2005227466.tif 000005
【図４】
2005227466.tif 000006
【図５】
2005227466.tif 000007
【図６】
2005227466.tif 000008
【図７】
2005227466.tif 000009